(57)【要約】【課題】ネットワーク負荷およびプロトコル変換処理負担を増大させることなく、映像配信端末からの映像を複数の端末へ配信する。【解決手段】テレビドアホン１０からの呼出に応じて、電話制御装置２０からテレビドアホン１０へ映像配信要求を送信し、各端末３０へ呼出を送信する。映像配信要求に応じてテレビドアホン１０からマルチキャストで撮影映像の配信を開始し、電話制御装置２０からの呼出に応じて各端末３０で当該マルチキャストから映像受信を開始する。端末３０Ａでの応答に応じて電話制御装置２０から応答端末３０Ａ以外の他の端末３０へ呼出停止を送信し、テレビドアホン１０と応答端末３０Ａへ音声通信要求を送信する。これに応じて他の端末で当該マルチキャストからの映像受信を停止し、テレビドアホン１０と応答端末３０Ａとの間でユニキャストにより音声を送受信する。【選択図】  図１
2010130363.tif 000002
【特許請求の範囲】
【請求項１】
映像表示機能および音声通話機能を有する複数の端末と、これら端末と通信回線を介して接続する電話制御装置と、映像を配信する映像配信端末とを含み、前記電話制御装置により前記端末および前記映像配信端末の呼制御を行うことにより、前記端末および前記映像配信端末に関する通話を制御する電話システムであって、
前記映像配信端末は、
前記端末に対する呼出時に前記電話制御装置へ呼出メッセージを送信する制御部と、
前記電話制御装置からの映像配信要求メッセージに応じて、マルチキャストで映像を配信するマルチキャスト送信処理部と、
前記電話制御装置からの音声通信要求メッセージに応じて、ユニキャストで入力音声を送信するとともに、当該ユニキャストから音声を受信して出力するユニキャスト送受信処理部と
を含み、
前記電話制御装置は、
前記映像配信端末からの呼出メッセージに応じて、前記端末へ呼出メッセージを送信するとともに、前記端末からの応答メッセージに応じて、当該応答端末以外の他の端末へ呼出停止メッセージを送信する呼処理部と、
前記映像配信端末からの呼出メッセージに応じて、前記映像配信要求メッセージを前記映像配信端末へ送信するとともに、前記端末からの応答メッセージに応じて音声要求メッセージを前記映像配信端末および前記応答端末へ送信するメディア制御部と
を含み、
前記端末は、
前記電話制御装置からの呼出メッセージに応じて、前記マルチキャストから映像を受信して表示出力するとともに、前記電話制御装置からの呼出停止メッセージに応じて、前記マルチキャストからの映像受信を停止するマルチキャスト受信処理部と、
前記電話制御装置からの呼出メッセージに対する応答時に前記電話制御装置へ応答メッセージを送信する制御部と、
前記電話制御装置からの音声要求メッセージに応じて、前記ユニキャストから音声を受信して出力するとともに、当該ユニキャストで入力音声を送信するユニキャスト送受信処理部と
を含む
ことを特徴とする電話システム。
【請求項２】
請求項１に記載の電話システムにおいて、
前記電話制御装置のメディア制御部は、前記映像配信要求メッセージにより、前記マルチキャストを特定するマルチキャストアドレス情報を前記映像配信端末へ通知し、
前記映像配信端末のマルチキャスト送信処理部は、前記電話制御装置からの映像配信要求メッセージで通知されたマルチキャストアドレス情報に基づくマルチキャストで、映像を配信し、
前記電話制御装置の呼処理部は、前記呼出メッセージにより、前記マルチキャストを特定するマルチキャストアドレス情報を前記端末へ通知し、
前記端末のマルチキャスト受信処理部は、前記電話制御装置からの呼出メッセージで通知されたマルチキャストアドレス情報に対応するマルチキャストから、映像を受信して表示出力する
ことを特徴とする電話システム。
【請求項３】
請求項１に記載の電話システムにおいて、
前記電話制御装置のメディア制御部は、前記音声要求メッセージにより、前記ユニキャストを特定するユニキャストアドレス情報を前記映像配信端末および前記応答端末へ通知し、
前記映像配信端末のユニキャスト送受信処理部は、前記電話制御装置からの音声通信要求メッセージで通知された前記ユニキャストアドレス情報に基づくユニキャストで前記音声を送受信し、
前記端末のユニキャスト送受信処理部は、前記電話制御装置からの音声要求メッセージで通知された前記ユニキャストアドレス情報に基づくユニキャストで前記音声を送受信する
ことを特徴とする電話システム。
【請求項４】
請求項１に記載の電話システムにおいて、
前記映像配信端末の制御部は、前記呼出メッセージにより、前記マルチキャストを特定するマルチキャストアドレス情報を前記電話制御装置へ通知し、
前記映像配信端末のマルチキャスト送信処理部は、前記マルチキャストアドレス情報に基づくマルチキャストで、映像を配信し、
前記映像配信端末の呼処理部は、前記呼出メッセージにより、前記映像配信端末からの呼出メッセージで通知されたマルチキャストアドレス情報を前記端末へ通知し、
前記端末のマルチキャスト受信処理部は、前記呼出メッセージで通知されたマルチキャストアドレス情報に対応するマルチキャストから、映像を受信して表示出力する
ことを特徴とする電話システム。
【請求項５】
請求項１に記載の電話システムにおいて、
前記映像配信端末の制御部は、前記呼出メッセージにより、当該映像配信端末からの音声送信のための第１のユニキャストを特定する第１のユニキャストアドレス情報を前記電話制御装置へ通知し、
前記端末の制御部は、前記応答メッセージにより、当該端末からの音声送信のための第２のユニキャストを特定する第２のユニキャストアドレス情報を前記電話制御装置へ通知し、
前記電話制御装置のメディア制御部は、前記音声要求メッセージにより、前記呼出メッセージで通知された前記第１のユニキャストを特定する第１のユニキャストアドレス情報を前記応答端末へ通知するとともに、前記応答メッセージで通知された前記第２のユニキャストを特定する第２のユニキャストアドレス情報を前記映像配信端末へ通知し、
前記映像配信端末のユニキャスト送受信処理部は、前記第１のユニキャストアドレス情報に基づく第１のユニキャストで前記音声を送信するとともに、前記音声要求メッセージで通知された前記第２のユニキャストアドレス情報に基づく第２のユニキャストで前記音声を受信し、
前記端末のユニキャスト送受信処理部は、前記第２のユニキャストアドレス情報に基づく第２のユニキャストで前記音声を送信するとともに、前記音声要求メッセージで通知された前記第１のユニキャストアドレス情報に基づく第１のユニキャストで前記音声を受信する
ことを特徴とする電話システム。
【請求項６】
映像表示機能および音声通話機能を有する複数の端末と、これら端末と通信回線を介して接続する電話制御装置と、映像を配信する映像配信端末とを含み、前記電話制御装置により前記端末および前記映像配信端末の呼制御を行うことにより、前記端末および前記映像配信端末に関する通話を制御する電話システムで用いる電話制御方法であって、
前記映像配信端末が、前記端末に対する呼出時に前記電話制御装置へ呼出メッセージを送信するステップと、
前記電話制御装置が、前記映像配信端末からの呼出メッセージに応じて、前記映像配信要求メッセージを前記映像配信端末へ送信するステップと、
前記映像配信端末が、前記電話制御装置からの映像配信要求メッセージに応じて、マルチキャストで映像を配信するステップと、
前記電話制御装置が、前記映像配信端末からの呼出メッセージに応じて、前記端末へ呼出メッセージを送信するステップと、
前記端末が、前記電話制御装置からの呼出メッセージに応じて、前記マルチキャストから映像を受信して表示出力するステップと、
前記端末が、前記電話制御装置からの呼出メッセージに対する応答時に前記電話制御装置へ応答メッセージを送信するステップと、
前記電話制御装置が、前記端末からの応答メッセージに応じて、当該応答端末以外の他の端末へ呼出停止メッセージを送信するステップと、
前記端末が、前記電話制御装置からの呼出停止メッセージに応じて、前記マルチキャストからの映像受信を停止するステップと、
前記電話制御装置が、前記映像配信端末からの応答メッセージに応じて、音声要求メッセージを前記映像配信端末および前記応答端末へ送信するステップと、
前記映像配信端末が、前記電話制御装置からの音声通信要求メッセージに応じて、ユニキャストで入力音声を送信するとともに、当該ユニキャストから音声を受信して出力するステップと、
前記端末が、前記電話制御装置からの音声要求メッセージに応じて、前記ユニキャストから音声を受信して出力するとともに、当該ユニキャストで入力音声を送信するステップと
を備えることを特徴とする電話制御方法。
【請求項７】
請求項６に記載の電話制御方法において、
前記電話制御装置が、前記映像配信要求メッセージにより、前記マルチキャストを特定するマルチキャストアドレス情報を前記映像配信端末へ通知し、
前記映像配信端末が、前記電話制御装置からの映像配信要求メッセージで通知されたマルチキャストアドレス情報に基づくマルチキャストで前記映像を配信し、
前記電話制御装置が、前記呼出メッセージにより、前記マルチキャストを特定するマルチキャストアドレス情報を前記端末へ通知し、
前記端末が、前記電話制御装置からの呼出メッセージで通知されたマルチキャストアドレス情報に対応するマルチキャストから、映像を受信して表示出力する
ことを特徴とする電話制御方法。
【請求項８】
請求項６に記載の電話制御方法において、
前記電話制御装置が、前記音声要求メッセージにより、前記ユニキャストを特定するユニキャストアドレス情報を前記映像配信端末および前記応答端末へ通知し、
前記映像配信端末が、前記電話制御装置からの音声通信要求メッセージで通知された前記ユニキャストアドレス情報に基づくユニキャストで前記音声を送受信し、
前記端末が、前記電話制御装置からの音声要求メッセージで通知された前記ユニキャストアドレス情報に基づくユニキャストで前記音声を送受信する
ことを特徴とする電話制御方法。
【請求項９】
請求項６に記載の電話制御方法において、
前記映像配信端末が、前記呼出メッセージにより、前記マルチキャストを特定するマルチキャストアドレス情報を前記電話制御装置へ通知し、
前記映像配信端末が、前記マルチキャストアドレス情報に基づくマルチキャストで、映像を配信し、
前記映像配信端末が、前記呼出メッセージにより、前記映像配信端末からの呼出メッセージで通知されたマルチキャストアドレス情報を前記端末へ通知し、
前記端末が、前記呼出メッセージで通知されたマルチキャストアドレス情報に対応するマルチキャストから、映像を受信して表示出力する
ことを特徴とする電話制御方法。
【請求項１０】
請求項６に記載の電話制御方法において、
前記映像配信端末が、前記呼出メッセージにより、当該映像配信端末からの音声送信のための第１のユニキャストを特定する第１のユニキャストアドレス情報を前記電話制御装置へ通知し、
前記端末が、前記応答メッセージにより、当該端末からの音声送信のための第２のユニキャストを特定する第２のユニキャストアドレス情報を前記電話制御装置へ通知し、
前記電話制御装置が、前記音声要求メッセージにより、前記呼出メッセージで通知された前記第１のユニキャストを特定する第１のユニキャストアドレス情報を前記応答端末へ通知するとともに、前記応答メッセージで通知された前記第２のユニキャストを特定する第２のユニキャストアドレス情報を前記映像配信端末へ通知し、
前記映像配信端末が、前記第１のユニキャストアドレス情報に基づく第１のユニキャストで前記音声を送信するとともに、前記音声要求メッセージで通知された前記第２のユニキャストアドレス情報に基づく第２のユニキャストで前記音声を受信し、
前記端末が、前記第２のユニキャストアドレス情報に基づく第２のユニキャストで前記音声を送信するとともに、前記音声要求メッセージで通知された前記第１のユニキャストアドレス情報に基づく第１のユニキャストで前記音声を受信する
ことを特徴とする電話制御方法。
【発明の詳細な説明】
【技術分野】
【０００１】
本発明は、電話制御技術に関し、特に１つの端末から複数の端末に対して映像を配信する技術に関する。
【背景技術】
【０００２】
電話システムは、ＬＡＮやＷＡＮなどの通信回線を介して電話制御装置と複数の端末との間でデータ通信を行うことにより、ＶｏＩＰなどの通信技術を用いた端末による通話を実現するシステムである。
このような電話システムの一例として、テレビドアホンを用いた電話システムがある。テレビドアホンは、来訪者の映像を撮影するカメラを有し、来訪者の呼出操作に応じて、撮影した映像を配信する機能を有している。これにより、各端末で来訪者の映像を確認した後、来訪者からの呼出に応答することが可能となる。
【０００３】
このような電話システムでは、テレビドアホンなどの映像配信端末に、通信回線を介してユニキャストで映像を送信する機能を設け、映像配信端末から他の端末に対して個別のユニキャストで配信する方式がある。しかしながら、このような方式では、配信先となる端末の数が多い場合、映像配信端末の送信処理負荷が増大するとともに、映像配信端末と配信先端末との間のネットワーク負荷が増大するという問題点がある。
【０００４】
従来、このような映像配信システムにおける映像配信技術として、映像配信端末からユニキャストで送信した映像を交換機で一旦受信し、この交換機から複数の端末に対しマルチキャストで映像を配信する技術が提案されている（例えば、特許文献１など参照）。これによれば、映像配信端末での送信処理負荷を軽減できるとともに、映像配信端末と交換機との間のネットワーク負荷、および交換機と配信先端末との間のネットワーク負荷を軽減することが可能となる。
【０００５】
【特許文献１】特開２００６−２５４１１１号公報
【発明の開示】
【発明が解決しようとする課題】
【０００６】
しかしながら、このような従来技術では、映像配信端末からユニキャストで送信した映像を交換機で一旦受信して、マルチキャストに変換して配信する必要がある。このため、交換機におけるプロトコル変換の処理負担が増大するという問題点があった。
本発明はこのような課題を解決するためのものであり、ネットワーク負荷およびプロトコル変換処理負担を増大させることなく、映像配信端末からの映像を複数の端末へ配信することが可能な電話システムおよび電話制御方法を提供することを目的としている。
【課題を解決するための手段】
【０００７】
このような目的を達成するために、本発明にかかる電話システム装置は、映像表示機能および音声通話機能を有する複数の端末と、これら端末と通信回線を介して接続する電話制御装置と、映像を配信する映像配信端末とを含み、電話制御装置により端末および映像配信端末の呼制御を行うことにより、端末および映像配信端末に関する通話を制御する電話システムであって、映像配信端末は、端末に対する呼出時に電話制御装置へ呼出メッセージを送信する制御部と、電話制御装置からの映像配信要求メッセージに応じて、マルチキャストで映像を配信するマルチキャスト送信処理部と、電話制御装置からの音声通信要求メッセージに応じて、ユニキャストで入力音声を送信するとともに、当該ユニキャストから音声を受信して出力するユニキャスト送受信処理部とを含み、電話制御装置は、映像配信端末からの呼出メッセージに応じて、端末へ呼出メッセージを送信するとともに、端末からの応答メッセージに応じて、当該応答端末以外の他の端末へ呼出停止メッセージを送信する呼処理部と、映像配信端末からの呼出メッセージに応じて、映像配信要求メッセージを映像配信端末へ送信するとともに、端末からの応答メッセージに応じて音声要求メッセージを映像配信端末および応答端末へ送信するメディア制御部とを含み、端末は、電話制御装置からの呼出メッセージに応じて、マルチキャストから映像を受信して表示出力するとともに、電話制御装置からの呼出停止メッセージに応じて、マルチキャストからの映像受信を停止するマルチキャスト受信処理部と、電話制御装置からの呼出メッセージに対する応答時に電話制御装置へ応答メッセージを送信する制御部と、電話制御装置からの音声要求メッセージに応じて、ユニキャストから音声を受信して出力するとともに、当該ユニキャストで入力音声を送信するユニキャスト送受信処理部とを含む。
【０００８】
この際、電話制御装置の呼処理部は、呼出メッセージにより、マルチキャストを特定するマルチキャストアドレス情報を端末へ通知し、端末のマルチキャスト受信処理部は、電話制御装置からの呼出メッセージで通知されたマルチキャストアドレス情報に対応するマルチキャストから、映像を受信して表示出力し、電話制御装置のメディア制御部は、映像配信要求メッセージにより、マルチキャストを特定するマルチキャストアドレス情報を映像配信端末へ通知し、映像配信端末のマルチキャスト送信処理部は、電話制御装置からの映像配信要求メッセージで通知されたマルチキャストアドレス情報に基づくマルチキャストで、映像を配信するようにしてもよい。
【０００９】
また、電話制御装置のメディア制御部は、音声要求メッセージにより、ユニキャストを特定するユニキャストアドレス情報を映像配信端末および応答端末へ通知し、映像配信端末のユニキャスト送受信処理部は、電話制御装置からの音声通信要求メッセージで通知されたユニキャストアドレス情報に基づくユニキャストで音声を送受信し、端末のユニキャスト送受信処理部は、電話制御装置からの音声要求メッセージで通知されたユニキャストアドレス情報に基づくユニキャストで音声を送受信するようにしてもよい。
【００１０】
また、映像配信端末の制御部は、呼出メッセージにより、マルチキャストを特定するマルチキャストアドレス情報を電話制御装置へ通知し、映像配信端末のマルチキャスト送信処理部は、マルチキャストアドレス情報に基づくマルチキャストで、映像を配信し、映像配信端末の呼処理部は、呼出メッセージにより、映像配信端末からの呼出メッセージで通知されたマルチキャストアドレス情報を端末へ通知し、端末のマルチキャスト受信処理部は、呼出メッセージで通知されたマルチキャストアドレス情報に対応するマルチキャストから、映像を受信して表示出力するようにしてもよい。
【００１１】
また、映像配信端末の制御部は、呼出メッセージにより、当該映像配信端末からの音声送信のための第１のユニキャストを特定する第１のユニキャストアドレス情報を電話制御装置へ通知し、端末の制御部は、応答メッセージにより、当該端末からの音声送信のための第２のユニキャストを特定する第２のユニキャストアドレス情報を電話制御装置へ通知し、電話制御装置のメディア制御部は、音声要求メッセージにより、呼出メッセージで通知された第１のユニキャストを特定する第１のユニキャストアドレス情報を応答端末へ通知するとともに、応答メッセージで通知された第２のユニキャストを特定する第２のユニキャストアドレス情報を映像配信端末へ通知し、映像配信端末のユニキャスト送受信処理部は、第１のユニキャストアドレス情報に基づく第１のユニキャストで音声を送信するとともに、音声要求メッセージで通知された第２のユニキャストアドレス情報に基づく第２のユニキャストで音声を受信し、端末のユニキャスト送受信処理部は、第２のユニキャストアドレス情報に基づく第２のユニキャストで音声を送信するとともに、音声要求メッセージで通知された第１のユニキャストアドレス情報に基づく第１のユニキャストで音声を受信するようにしてもよい。
【００１２】
また、本発明にかかる電話制御方法は、映像表示機能および音声通話機能を有する複数の端末と、これら端末と通信回線を介して接続する電話制御装置と、映像を配信する映像配信端末とを含み、電話制御装置により端末および映像配信端末の呼制御を行うことにより、端末および映像配信端末に関する通話を制御する電話システムで用いる電話制御方法であって、映像配信端末が、端末に対する呼出時に電話制御装置へ呼出メッセージを送信するステップと、電話制御装置が、映像配信端末からの呼出メッセージに応じて、映像配信要求メッセージを映像配信端末へ送信するステップと、映像配信端末が、電話制御装置からの映像配信要求メッセージに応じて、マルチキャストで映像を配信するステップと、電話制御装置が、映像配信端末からの呼出メッセージに応じて、端末へ呼出メッセージを送信するステップと、端末が、電話制御装置からの呼出メッセージに応じて、マルチキャストから映像を受信して表示出力するステップと、端末が、電話制御装置からの呼出メッセージに対する応答時に電話制御装置へ応答メッセージを送信するステップと、電話制御装置が、端末からの応答メッセージに応じて、当該応答端末以外の他の端末へ呼出停止メッセージを送信するステップと、端末が、電話制御装置からの呼出停止メッセージに応じて、マルチキャストからの映像受信を停止するステップと、電話制御装置が、映像配信端末からの応答メッセージに応じて、音声要求メッセージを映像配信端末および応答端末へ送信するステップと、映像配信端末が、電話制御装置からの音声通信要求メッセージに応じて、ユニキャストで入力音声を送信するとともに、当該ユニキャストから音声を受信して出力するステップと、端末が、電話制御装置からの音声要求メッセージに応じて、ユニキャストから音声を受信して出力するとともに、当該ユニキャストで入力音声を送信するステップとを備えている。
【００１３】
この際、電話制御装置が、呼出メッセージにより、マルチキャストを特定するマルチキャストアドレス情報を端末へ通知し、端末が、電話制御装置からの呼出メッセージで通知されたマルチキャストアドレス情報に対応するマルチキャストから、映像を受信して表示出力し、電話制御装置が、映像配信要求メッセージにより、マルチキャストを特定するマルチキャストアドレス情報を映像配信端末へ通知し、映像配信端末が、電話制御装置からの映像配信要求メッセージで通知されたマルチキャストアドレス情報に基づくマルチキャストで映像を配信するようにしてもよい。
【００１４】
また、電話制御装置が、音声要求メッセージにより、ユニキャストを特定するユニキャストアドレス情報を映像配信端末および応答端末へ通知し、映像配信端末が、電話制御装置からの音声通信要求メッセージで通知されたユニキャストアドレス情報に基づくユニキャストで音声を送受信し、端末が、電話制御装置からの音声要求メッセージで通知されたユニキャストアドレス情報に基づくユニキャストで音声を送受信するようにしてもよい。
【００１５】
また、映像配信端末が、呼出メッセージにより、マルチキャストを特定するマルチキャストアドレス情報を電話制御装置へ通知し、映像配信端末が、マルチキャストアドレス情報に基づくマルチキャストで、映像を配信し、映像配信端末が、呼出メッセージにより、映像配信端末からの呼出メッセージで通知されたマルチキャストアドレス情報を端末へ通知し、端末が、呼出メッセージで通知されたマルチキャストアドレス情報に対応するマルチキャストから、映像を受信して表示出力するようにしてもよい。
【００１６】
また、映像配信端末が、呼出メッセージにより、当該映像配信端末からの音声送信のための第１のユニキャストを特定する第１のユニキャストアドレス情報を電話制御装置へ通知し、端末が、応答メッセージにより、当該端末からの音声送信のための第２のユニキャストを特定する第２のユニキャストアドレス情報を電話制御装置へ通知し、電話制御装置が、音声要求メッセージにより、呼出メッセージで通知された第１のユニキャストを特定する第１のユニキャストアドレス情報を応答端末へ通知するとともに、応答メッセージで通知された第２のユニキャストを特定する第２のユニキャストアドレス情報を映像配信端末へ通知し、映像配信端末が、第１のユニキャストアドレス情報に基づく第１のユニキャストで音声を送信するとともに、音声要求メッセージで通知された第２のユニキャストアドレス情報に基づく第２のユニキャストで音声を受信し、端末が、第２のユニキャストアドレス情報に基づく第２のユニキャストで音声を送信するとともに、音声要求メッセージで通知された第１のユニキャストアドレス情報に基づく第１のユニキャストで音声を受信するようにしてもよい。
【発明の効果】
【００１７】
本発明によれば、映像配信端末から各端末に対して、映像をマルチキャストにより直接配信できる。このため、映像配信端末から各端末に対して個別のユニキャストで映像を配信する場合と比較して、映像配信端末から端末までのネットワーク負荷を軽減できる。また、電話制御装置において、ユニキャストからマルチキャストへのプロトコル変換を行う必要がなくなり、電話制御装置での処理負担を軽減できるとともに、電話制御装置自体の構成を削減でき、電話システム全体のコストを低減することが可能となる。
【発明を実施するための最良の形態】
【００１８】
次に、本発明の実施の形態について図面を参照して説明する。
［第１の実施の形態］
まず、図１を参照して、本発明の第１の実施の形態にかかる電話システムについて説明する。図１は、本発明の第１の実施の形態にかかる電話システムの構成を示すブロック図である。
この電話システム１は、全体としてＶｏＩＰなどの通信技術を用いた通話を実現する通信システムからなり、電話制御装置２０、複数の端末３０、およびテレビドアホン（映像配信端末）１０が、ＬＡＮやＷＡＮなどの通信回線５０を介して、データ通信可能に相互接続されている。
【００１９】
［テレビドアホン］
次に、図２を参照して、本発明の第１の実施の形態にかかる電話システムのテレビドアホンについて説明する。図２は、本発明の第１の実施の形態にかかる電話システムのテレビドアホンの構成を示すブロック図である。
【００２０】
このテレビドアホン１０は、全体として映像および音声を取得して送信するドアホン装置からなり、主な機能部として、操作入力部１１、カメラ１２、マイク１３、スピーカ
１４、制御部１５、映像エンコーダ１６、音声エンコーダ１７、音声デコーダ１８、およびプロトコル処理部１９が設けられている。
【００２１】
操作入力部１１は、一般的な操作ボタンからなり、来訪者の呼出操作などの各種操作を検出して制御部１５へ出力する機能を有している。
カメラ１２は、来訪者の映像を撮影して映像エンコーダ１６へ出力する機能を有している。
マイク１３は、来訪者の音声を検出して音声エンコーダ１７へ出力する機能を有している。
スピーカ１４は、端末３０からの音声など、音声デコーダ１８から出力された音声を出力する機能を有している。
【００２２】
制御部１５は、ＣＰＵなどの制御回路からなり、操作入力部１１での呼出操作に応じてプロトコル処理部１９を介して電話制御装置２０へ呼出メッセージを送信する機能を有している。
映像エンコーダ１６は、専用の信号処理回路からなり、カメラ１２で撮影された映像をエンコードしてプロトコル処理部１９へ出力する機能を有している。
音声エンコーダ１７は、専用の信号処理回路からなり、マイク１３で検出した音声をエンコードしてプロトコル処理部１９へ出力する機能を有している。
音声デコーダ１８は、専用の信号処理回路からなり、プロトコル処理部１９で受信した音声をデコードしてスピーカ１４へ出力する機能を有している。
なお、映像エンコーダ１６、音声エンコーダ１７、音声デコーダ１８については、制御部１５で実現されるソフトウェア機能部で実現してもよい。
【００２３】
プロトコル処理部１９は、ＣＰＵなどの制御回路からなり、通信回線５０を介して電話制御装置２０および端末３０との間で、所定のプロトコルを用いて、各種メッセージ、映像データ、および音声データをやり取りする機能を有している。
プロトコル処理部１９には、主な処理部として、マルチキャスト送信処理部１９Ａとユニキャスト送受信処理部１９Ｂが設けられている。
【００２４】
マルチキャスト送信処理部１９Ａは、電話制御装置２０からの映像配信要求メッセージに応じて、当該映像配信要求メッセージで指定されたマルチキャストアドレス情報に基づくマルチキャストで、映像エンコーダ１６からの映像の配信を開始する機能と、電話制御装置２０からの切断メッセージに応じて、当該切断メッセージで指定されたマルチキャストアドレス情報に基づくマルチキャストでの映像配信を停止する機能とを有している。
【００２５】
ユニキャスト送受信処理部１９Ｂは、電話制御装置２０からの音声要求メッセージに応じて、当該音声要求メッセージで指定されたユニキャストアドレス情報に基づくユニキャストで、音声エンコーダ１７からの音声の送信を開始するとともに、当該ユニキャストからの音声の受信を開始する機能と、電話制御装置２０からの切断メッセージに応じて、当該切断メッセージで指定されたユニキャストアドレス情報に基づくユニキャストでの音声送受信を停止する機能とを有している。このユニキャストについては、双方向ユニキャストを用いてもよく、送受信のそれぞれで別個のユニキャストを用いてもよい。
【００２６】
［電話制御装置］
次に、図３を参照して、本発明の第１の実施の形態にかかる電話システムの電話制御装置について説明する。図３は、本発明の第１の実施の形態にかかる電話システムの電話制御装置の構成を示すブロック図である。
【００２７】
この電話制御装置２０は、全体としてサーバ装置やパーソナルコンピュータなどの情報処理装置からなり、外部の電話網にアクセスすることにより、当該電話網を利用した端末３０による通話、端末３０間の内線通話、および端末３０とテレビドアホン１０との間のドアホン通話を制御する機能を有している。
【００２８】
電話制御装置２０には、主な機能部として、呼制御部２１とプロトコル処理部２９が設けられている。
呼制御部２１は、ＣＰＵなどの制御回路からなり、主な処理部として、呼処理部２１Ａとメディア制御部２１Ｂが設けられている。
【００２９】
呼処理部２１Ａは、端末３０に関する一般的な呼制御を行う機能を有しており、具体的には、プロトコル処理部２９で受信したテレビドアホン１０からの呼出メッセージに応じて、テレビドアホン１０からのマルチキャストで用いるマルチキャストアドレス情報を含む呼出メッセージを、プロトコル処理部２９から各端末３０へ送信する機能と、プロトコル処理部２９で受信した端末３０からの応答メッセージに応じて、テレビドアホン１０からのマルチキャストで用いるマルチキャストアドレス情報を含む呼出停止メッセージを、その応答端末３０以外の他の端末３０へプロトコル処理部２９から送信する機能と、プロトコル処理部２９で受信した端末３０からの切断メッセージに応じて、当該端末３０の通信で使用している当該マルチキャストアドレス情報およびユニキャストアドレス情報を含む切断メッセージを、プロトコル処理部２９からテレビドアホン１０に対して送信する機能とを有している。
【００３０】
メディア制御部２１Ｂは、端末３０に関する映像および音声に関する呼制御を行う機能を有しており、具体的には、テレビドアホン１０からの呼出メッセージに応じて、テレビドアホン１０からのマルチキャストで用いるマルチキャストアドレス情報を含む映像配信要求メッセージを、プロトコル処理部２９からテレビドアホン１０へ送信する機能と、端末３０からの応答メッセージに応じて、テレビドアホン１０からのユニキャストで用いるユニキャストアドレス情報を含む音声要求メッセージを、プロトコル処理部２９からテレビドアホン１０および応答端末３０へ送信する機能を有している。
【００３１】
プロトコル処理部２９は、ＣＰＵなどの制御回路からなり、通信回線５０を介してテレビドアホン１０および端末３０との間で、所定のプロトコルを用いて、各種メッセージ、映像データ、および音声データをやり取りする機能を有している。
【００３２】
［端末］
次に、図４を参照して、本発明の第１の実施の形態にかかる電話システムの端末について説明する。図４は、本発明の第１の実施の形態にかかる電話システムの端末の構成を示すブロック図である。
【００３３】
この端末３０は、全体としてパーソナルコンピュータなどの情報処理装置からなり、主な機能部として、操作入力部３１、画面表示部３２、スピーカ３３、マイク３４、制御部３５、映像デコーダ３６、音声デコーダ３７、音声エンコーダ３８、およびプロトコル処理部３９が設けられている。
【００３４】
操作入力部３１は、一般的な操作ボタンからなり、利用者の呼出、応答、終話などの各種操作を検出して出力する機能を有している。
画面表示部３２は、ＬＣＤなどの画面表示装置からなり、テレビドアホン１０からの映像など、映像デコーダ３６から出力された各種映像や画像を画面表示する機能を有している。
スピーカ３３は、テレビドアホン１０からの音声など、音声デコーダ３７から出力された各種音声や呼出音を出力する機能を有している。
マイク３４は、利用者の音声を検出して音声エンコーダ３８へ出力する機能を有している。
【００３５】
制御部３５は、ＣＰＵなどの制御回路からなり、操作入力部３１での応答操作に応じてプロトコル処理部３９を介して電話制御装置２０へ応答メッセージを送信する機能と、操作入力部３１での終話操作に応じてプロトコル処理部３９を介して電話制御装置２０へ切断メッセージを送信する機能とを有している。
【００３６】
映像デコーダ３６は、専用の信号処理回路からなり、プロトコル処理部３９で受信した映像をデコードして画面表示部３２へ出力する機能を有している。
音声デコーダ３７は、専用の信号処理回路からなり、プロトコル処理部３９で受信した音声をデコードしてスピーカ３３へ出力する機能を有している。
音声エンコーダ３８は、専用の信号処理回路からなり、マイク３４で検出した音声をエンコードしてプロトコル処理部３９へ出力する機能を有している。
【００３７】
プロトコル処理部３９は、ＣＰＵなどの制御回路からなり、通信回線５０を介してテレビドアホン１０および電話制御装置２０との間で、所定のプロトコルを用いて、各種メッセージ、映像データ、および音声データをやり取りする機能を有している。
プロトコル処理部３９には、主な処理部として、マルチキャスト受信処理部３９Ａとユニキャスト送受信処理部３９Ｂが設けられている。
【００３８】
マルチキャスト受信処理部３９Ａは、電話制御装置２０からの呼出メッセージに応じて、当該呼出メッセージで指定されたマルチキャストアドレス情報に対応するマルチキャストからの映像の受信を開始して、映像デコーダ３６へ出力する機能と、電話制御装置２０からの呼出停止メッセージに応じて、当該呼出停止メッセージで指定されたマルチキャストアドレス情報に対応するマルチキャストからの映像受信を停止する機能と、操作入力部３１での終話操作に応じて、通信中のマルチキャストからの映像受信を停止する機能とを有している。
【００３９】
ユニキャスト送受信処理部３９Ｂは、電話制御装置２０からの音声要求メッセージに応じて、当該音声要求メッセージで指定されたユニキャストアドレス情報に基づくユニキャストから音声の受信を開始とともに、当該ユニキャストで音声エンコーダ３８からの音声の送信を開始する機能と、操作入力部３１での終話操作に応じて、通信中のユニキャストでの音声送受信を停止する機能とを有している。このユニキャストについては、双方向ユニキャストを用いてもよく、送受信のそれぞれで別個のユニキャストを用いてもよい。
【００４０】
［第１の実施の形態の動作］
次に、本発明の第１の実施の形態にかかる電話システムの動作について説明する。ここでは、テレビドアホン１０、電話制御装置２０、および端末３０のそれぞれの動作について個別に説明し、その後、電話システム全体の動作について説明する。
【００４１】
［テレビドアホンの動作］
まず、図５を参照して、本発明の第１の実施の形態にかかる電話システムのテレビドアホンの動作について説明する。図５は、本発明の第１の実施の形態にかかる電話システムのテレビドアホンの呼出処理を示すフローチャートである。
テレビドアホン１０は、使用されていないアイドル状態において、操作入力部１１により、来訪者の呼出操作を検出した場合、図５の呼出処理を開始する。
【００４２】
まず、制御部１５は、操作入力部１１での呼出操作に応じてプロトコル処理部１９を介して電話制御装置２０へ呼出メッセージを送信する（ステップ１００）。
その後、プロトコル処理部１９は、待機状態（ステップ１０１）となり、電話制御装置２０からの映像配信要求メッセージを受信した場合（ステップ１０２：ＹＥＳ）、マルチキャスト送信処理部１９Ａにより、当該映像配信要求メッセージで指定されたマルチキャストアドレス情報に基づくマルチキャストで、カメラ１２で撮影した映像エンコーダ１６からの映像の配信を開始し（ステップ１０３）、ステップ１０１へ戻る。これにより、テレビドアホン１０は呼出状態（応答待ち）となる。
【００４３】
一方、ステップ１０１の待機状態において、電話制御装置２０からの音声要求メッセージを受信した場合（ステップ１０４：ＹＥＳ）、ユニキャスト送受信処理部１９Ｂにより、当該音声要求メッセージで指定されたユニキャストアドレス情報に基づくユニキャストで、マイク１３で検出した音声エンコーダ１７からの音声の送信を開始するとともに、当該ユニキャストアドレス情報に基づくユニキャストから音声を受信して、音声デコーダ１８への出力を開始し（ステップ１０５）、ステップ１０１へ戻る。これにより、テレビドアホン１０は、応答端末３０と通話状態となる。
【００４４】
一方、ステップ１０１の待機状態において、電話制御装置２０からの切断メッセージを受信した場合（ステップ１０６：ＹＥＳ）、マルチキャスト送信処理部１９Ａにより、当該切断メッセージで指定されたマルチキャストアドレス情報に基づくマルチキャストでの映像配信を停止する（ステップ１０７）。同じく、ユニキャスト送受信処理部１９Ｂにより、当該音声要求メッセージで指定されたユニキャストアドレス情報に基づくユニキャストでの音声送信を停止するとともに、当該ユニキャストからの音声受信を停止し（ステップ１０８）、一連の呼出処理を終了する。これにより、テレビドアホン１０は、アイドル状態となる。
【００４５】
［電話制御装置の動作］
次に、図６を参照して、本発明の第１の実施の形態にかかる電話システムの電話制御装置の動作について説明する。図６は、本発明の第１の実施の形態にかかる電話システムの電話制御装置のドアホン制御処理を示すフローチャートである。
電話制御装置２０は、プロトコル処理部２９により、テレビドアホン１０からの呼出メッセージを受信した場合、図６のドアホン制御処理を開始する。
【００４６】
まず、呼制御部２１は、呼処理部２１Ａにより、テレビドアホン１０からのマルチキャストで用いるマルチキャストアドレス情報を含む呼出メッセージを、プロトコル処理部２９から各端末３０へ送信するとともに（ステップ２００）、メディア制御部２１Ｂにより、当該マルチキャストアドレス情報を含む映像配信要求メッセージを、プロトコル処理部２９からテレビドアホン１０へ送信する（ステップ２０１）。
【００４７】
このマルチキャストアドレス情報については、複数のマルチキャストアドレス情報を記憶部（図示せず）に予め設定しておき、そのうちから使用されていないマルチキャストアドレス情報を選択すればよい。
また、後述するユニキャストアドレス情報についても、複数のユニキャストアドレス情報を記憶部（図示せず）に予め設定しておき、そのうちから使用されていないユニキャストアドレス情報を選択すればよい。
【００４８】
その後、プロトコル処理部２９は、待機状態となり（ステップ２０２）、端末３０からの応答メッセージを受信した場合（ステップ２０３：ＹＥＳ）、呼処理部２１Ａにより、テレビドアホン１０からのマルチキャストで用いるマルチキャストアドレス情報を含む呼出停止メッセージを、その応答端末３０以外の他の端末３０へプロトコル処理部２９から送信する（ステップ２０４）。
続いて、メディア制御部２１Ｂにより、テレビドアホン１０からのユニキャストで用いるユニキャストアドレス情報を含む音声要求メッセージを、プロトコル処理部２９からテレビドアホン１０へ送信するとともに（ステップ２０５）、応答端末３０へ送信し（ステップ２０６）、ステップ２０２へ戻る。
【００４９】
一方、メッセージ受信待機状態において、電話制御装置２０からの切断メッセージを受信した場合（ステップ２０７：ＹＥＳ）、呼処理部２１Ａにより、当該切断メッセージの送信元である応答端末３０で使用しているマルチキャストアドレス情報およびユニキャストアドレス情報を含む切断メッセージを、プロトコル処理部２９からテレビドアホン１０に対して送信し（ステップ２０８）、一連のドアホン制御処理を終了する。
【００５０】
［端末の動作］
次に、図７を参照して、本発明の第１の実施の形態にかかる電話システムの端末の動作について説明する。図７は、本発明の第１の実施の形態にかかる電話システムの端末の着信制御処理を示すフローチャートである。
端末３０は、使用されていないアイドル状態において、プロトコル処理部３９により、電話制御装置２０からの呼出メッセージを受信した場合、図７の着信制御処理を開始する。
【００５１】
まず、プロトコル処理部３９は、マルチキャスト受信処理部３９Ａにより、当該呼出メッセージで指定されたマルチキャストアドレス情報に対応するマルチキャストからの映像の受信を開始して、映像デコーダ３６へ出力する（ステップ３００）。これにより、端末３０はドアホン着信状態となり、画像表示部３２において、来訪者の映像表示が開始される。
【００５２】
その後、プロトコル処理部３９は、待機状態（ステップ３０１）となり、電話制御装置２０からの呼出停止メッセージを受信した場合（ステップ３０２：ＹＥＳ）、マルチキャスト受信処理部３９Ａにより、当該呼出停止メッセージで指定されたマルチキャストアドレス情報に対応するマルチキャストからの映像受信を停止し（ステップ３０３）、一連の着信制御処理を終了する。これにより、端末３０はアイドル状態となる。
【００５３】
一方、ステップ３０１の待機状態において、操作入力部３１での応答操作が検出された場合（ステップ３０４：ＹＥＳ）、制御部３５は、プロトコル処理部３９を介して電話制御装置２０へ応答メッセージを送信する（ステップ３０５）。
【００５４】
その後、プロトコル処理部３９は、待機状態（ステップ３０６）となり、電話制御装置２０からの音声要求メッセージを受信した場合（ステップ３０７：ＹＥＳ）、ユニキャスト送受信処理部３９Ｂにより、当該音声要求メッセージで指定されたユニキャストアドレス情報に基づくユニキャストから音声の受信を開始するとともに、当該ユニキャストで音声エンコーダ３８からの音声の送信を開始し（ステップ３０８）、ステップ３０６へ戻る。これにより、端末３０は、テレビドアホン１０との通話状態となる。
【００５５】
一方、ステップ３０６の待機状態において、操作入力部３１での応答操作が検出された場合（ステップ３０９：ＹＥＳ）、制御部３５により、プロトコル処理部３９を介して電話制御装置２０へ切断メッセージを送信する（ステップ３１０）。同じく、プロトコル処理部３９は、マルチキャスト受信処理部３９Ａにより、通信中のマルチキャストからの映像受信を停止するとともに、ユニキャスト送受信処理部３９Ｂにより、通信中のユニキャストによる音声送受信を停止し（ステップ３１１）、一連の着信制御処理を終了する。これにより、端末３０は、アイドル状態となる。
【００５６】
［電話システム全体の動作］
次に、図８を参照して、本発明の第１の実施の形態にかかる電話システムの全体動作について説明する。図８は、本発明の第１の実施の形態にかかる電話システムの全体動作を示すシーケンス図である。
ここでは、テレビドアホン１０での呼出操作に応じて、端末３０Ａ，３０Ｂを呼び出した後、端末３０Ａでの応答操作に応じて、応答端末３０Ａとテレビドアホン１０との間で通話を行う場合を例として説明する。
【００５７】
テレビドアホン１０において、来訪者により呼出操作が行われた場合（ステップ４００）、テレビドアホン１０から電話制御装置２０に対して呼出メッセージが送信される（ステップ４０１）。
電話制御装置２０は、テレビドアホン１０からの呼出メッセージに応じて、テレビドアホン１０に対して映像配信要求を送信するとともに（ステップ４０２）、端末３０Ａ，３０Ｂへ呼出メッセージを送信する（ステップ４０３）。
【００５８】
この際、映像配信要求メッセージと呼出メッセージには、テレビドアホン１０からのマルチキャストで用いるマルチキャストアドレス情報が含まれている。
テレビドアホン１０は、電話制御装置２０からの映像配信要求メッセージに応じて、当該マルチキャストアドレス情報に基づくマルチキャストで、来訪者を撮影した映像の配信を開始する（ステップ４０４）。
一方、端末３０Ａ，３０Ｂは、電話制御装置２０からの呼出メッセージに応じて、当該マルチキャストアドレス情報と対応するマルチキャストから映像を受信して画面表示する。これにより、端末３０Ａ，３０Ｂにおいて来訪者の映像が表示され、テレビドアホン１０からのドアホン着信状態となる。
【００５９】
この後、端末３０Ａにおいて、ドアホン着信に対する応答操作が行われた場合（ステップ４１０）、応答端末３０Ａから電話制御装置２０に対して応答メッセージが送信される（ステップ４１１）。
電話制御装置２０は、この応答メッセージに応じて、応答端末３０Ａ以外の端末、ここでは端末３０Ｂに対して呼出停止メッセージを送信する（ステップ４１２）。
【００６０】
この際、呼出停止メッセージには、テレビドアホン１０からのマルチキャストで用いるマルチキャストアドレス情報が含まれている。
端末３０Ｂは、この呼出停止メッセージに応じて、当該マルチキャストアドレス情報に基づくマルチキャストからの映像の受信を停止する（ステップ４１３）。これにより、端末３０Ｂでの映像表示が停止され、ドアホン着信状態からアイドル状態へ移行し、端末３０Ａでのみ来訪者の映像が表示されることになる。
【００６１】
また、電話制御装置２０は、応答端末３０Ａからの応答メッセージに応じて、テレビドアホン１０に対して音声通信要求メッセージを送信するとともに（ステップ４１４）、応答端末３０Ａに対して音声通信要求メッセージを送信する（ステップ４１５）。
この際、音声通信要求メッセージには、テレビドアホン１０と応答端末３０Ａとの間のユニキャストで用いるユニキャストアドレス情報が含まれている。
テレビドアホン１０と応答端末３０Ａは、このユニキャストアドレス情報に基づいて、音声の送受信を開始する（ステップ４１６）。これにより、応答端末３０Ａでは、来訪者の映像を表示しながら、テレビドアホン１０とのドアホン通話状態となる。
【００６２】
その後、応答端末３０Ａにおいて、終話操作が行われた場合（ステップ４２０）、応答端末３０Ａにおいて、テレビドアホン１０と通信中のマルチキャストからの映像受信を停止するとともに、同じくユニキャストでの音声送受信を停止し、電話制御装置２０に対して切断メッセージを送信する（ステップ４２１）。
電話制御装置２０は、応答端末３０Ａからの切断メッセージに応じて、テレビドアホン１０へ切断メッセージを送信する（ステップ４２２）。
この際、これら切断メッセージには、マルチキャストで用いたマルチキャストアドレス情報と、ユニキャストで用いたユニキャストアドレス情報が含まれている。なお、切断対象となるマルチキャストやユニキャストが特定できる場合には、これらマルチキャストアドレス情報およびユニキャストアドレス情報を切断メッセージで通知する必要はない。
【００６３】
テレビドアホン１０は、この切断メッセージに応じて、当該切断メッセージで指定されたマルチキャストアドレス情報に基づくマルチキャストでの映像配信を停止するとともに、当該切断メッセージで指定されたユニキャストアドレス情報に基づくユニキャストでの音声送受信を停止する。
これにより、テレビドアホン１０と応答端末３０Ａとのドアホン通話が終了する。
【００６４】
［第１の実施の形態の効果］
このように、本実施の形態では、テレビドアホン１０から各端末３０に対して、来訪者の映像をマルチキャストにより直接配信できる。このため、テレビドアホン１０から各端末３０に対して個別のユニキャストで映像を配信する場合と比較して、テレビドアホン１０から端末３０までのネットワーク負荷を軽減できる。また、電話制御装置２０において、ユニキャストからマルチキャストへのプロトコル変換を行う必要がなくなり、電話制御装置２０での処理負担を軽減できるとともに、電話制御装置２０自体の構成を削減でき、電話システム全体のコストを低減することが可能となる。
【００６５】
また、呼出時の映像をマルチキャストでテレビドアホン１０から各端末３０へ配信しておき、任意の端末での応答に応じて電話制御装置２０から応答端末以外の他の端末に対して呼出停止メッセージを送信し、この呼出停止メッセージに応じて当該端末でマルチキャストからの映像受信を停止するようにしたので、端末呼出時と応答以降のドアホン通話時の両方で、マルチキャストを共用することができる。このため、応答時にそれまで使用していたマルチキャストを停止して、新たなユニキャストでテレビドアホン１０から端末３０へ映像を配信するという呼制御が不要となる。これにより、テレビドアホン１０および応答端末における応答時の呼制御処理負担を軽減することが可能となる。
【００６６】
また、本実施の形態では、電話制御装置２０からの映像配信要求メッセージにより、マルチキャストアドレス情報をテレビドアホン１０へ通知し、テレビドアホン１０で、この映像配信要求メッセージで通知されたマルチキャストアドレス情報に基づくマルチキャストで映像を配信し、電話制御装置２０から、このメッセージにより、マルチキャストアドレス情報を端末３０へ通知し、端末３０で、この呼出メッセージで通知されたマルチキャストアドレス情報に対応するマルチキャストから、映像を受信して表示出力するようにしたので、マルチキャストアドレス情報を通知するための別途メッセージをやり取りする必要がなくなり、電話システム全体の呼制御処理負担を軽減できる。
【００６７】
また、本実施の形態では、電話制御装置２０からの音声要求メッセージにより、ユニキャストアドレス情報を映像配信端末および応答端末へ通知し、テレビドアホン１０と端末３０との間で、この音声通信要求メッセージで通知されたユニキャストアドレス情報に基づくユニキャストで音声を送受信するようにしたので、ユニキャストアドレス情報を通知するための別途メッセージをやり取りする必要がなくなり、電話システム全体の呼制御処理負担を軽減できる。
【００６８】
［第２の実施の形態］
次に、図９を参照して、本発明の第２の実施の形態にかかる電話システムについて説明する。図９は、本発明の第２の実施の形態にかかる電話システムの全体動作を示すシーケンス図である。
第１の実施の形態では、電話制御装置２０でマルチキャストアドレス情報やユニキャストアドレス情報を管理している場合を例として説明した。本実施の形態では、テレビドアホン１０でマルチキャストアドレス情報とユニキャストアドレス情報を管理し、端末３０でユニキャストアドレス情報を管理する場合を例として説明する。
【００６９】
マルチキャストアドレス情報については、１つ以上のマルチキャストアドレス情報をテレビドアホン１０の記憶部（図示せず）に予め設定しておき、そのうちから使用されていないマルチキャストアドレス情報を選択すればよい。
また、ユニキャストアドレス情報についても、１つ以上のユニキャストアドレス情報を端末３０の記憶部（図示せず）に予め設定しておき、そのうちから使用されていなユニキャストアドレス情報を選択すればよい。
また、テレビドアホン１０、電話制御装置２０、および端末３０の構成については、マルチキャストアドレス情報やユニキャストアドレス情報の扱いが異なるものの、その他の構成については第１の実施の形態と同等であり、ここでの詳細な説明は省略する。
【００７０】
［電話システム全体の動作］
次に、図９を参照して、本発明の第２の実施の形態にかかる電話システムの全体動作について説明する。
ここでは、テレビドアホン１０での呼出操作に応じて、端末３０Ａ，３０Ｂを呼び出した後、端末３０Ａでの応答操作に応じて、応答端末３０Ａとテレビドアホン１０との間で通話を行う場合を例として説明する。
【００７１】
テレビドアホン１０において、来訪者により呼出操作が行われた場合（ステップ５００）、テレビドアホン１０の制御部１５から電話制御装置２０に対してマルチキャストアドレス情報とユニキャストアドレス情報（第１のユニキャストアドレス情報）を含む呼出メッセージが送信される（ステップ５０１）。このユニキャストアドレス情報は、テレビドアホン１０からの音声送信のためのユニキャスト（第１のユニキャスト）を特定するものである。
【００７２】
電話制御装置２０は、メディア制御部２１Ｂにより、テレビドアホン１０からの呼出メッセージに応じて、テレビドアホン１０に対して映像配信要求を送信するとともに（ステップ５０２）、呼処理部２１Ａにより、端末３０Ａ，３０Ｂへ、テレビドアホン１０から通知されたマルチキャストアドレス情報を含む呼出メッセージを送信する（ステップ５０３）。
【００７３】
テレビドアホン１０は、マルチキャスト送信処理部１９Ａにより、電話制御装置２０からの映像配信要求メッセージに応じて、ステップ５０１の呼出メッセージで通知したマルチキャストアドレス情報に基づくマルチキャストで、来訪者を撮影した映像の配信を開始する（ステップ５０４）。
一方、端末３０Ａ，３０Ｂは、電話制御装置２０からの呼出メッセージに応じて、当該マルチキャストアドレス情報と対応するマルチキャストから映像を受信して画面表示する。これにより、端末３０Ａ，３０Ｂにおいて来訪者の映像が表示され、テレビドアホン１０からのドアホン着信状態となる。
【００７４】
この後、端末３０Ａにおいて、ドアホン着信に対する応答操作が行われた場合（ステップ５１０）、応答端末３０Ａは、制御部３５により、電話制御装置２０に対してユニキャストアドレス情報（第２のユニキャストアドレス情報）を含む応答メッセージを送信する（ステップ５１１）。このユニキャストアドレス情報は、応答端末３０Ａからの音声送信のためのユニキャスト（第２のユニキャスト）を特定するものである。
【００７５】
電話制御装置２０は、この応答メッセージに応じて、応答端末３０Ａ以外の端末、ここでは端末３０Ｂに対して呼出停止メッセージを送信する（ステップ５１２）。この際、呼出停止メッセージには、テレビドアホン１０からのマルチキャストで用いるマルチキャストアドレス情報が含まれている。
【００７６】
端末３０Ｂは、この呼出停止メッセージに応じて、当該マルチキャストアドレス情報に基づくマルチキャストからの映像の受信を停止する（ステップ５１３）。これにより、端末３０Ｂでの映像表示が停止され、ドアホン着信状態からアイドル状態へ移行し、端末３０Ａでのみ来訪者の映像が表示されることになる。
【００７７】
また、電話制御装置２０は、メディア制御部２１Ｂにより、応答端末３０Ａからの応答メッセージに応じて、テレビドアホン１０に対して音声通信要求メッセージを送信するとともに（ステップ５１４）、応答端末３０Ａに対して音声通信要求メッセージを送信する（ステップ５１５）。
この際、テレビドアホン１０宛の音声通信要求メッセージには、応答端末３０Ａから通知されたユニキャストアドレス情報が含まれており、応答端末３０Ａ宛の音声通信要求メッセージには、テレビドアホン１０から通知さたユニキャストアドレス情報が含まれている。
【００７８】
テレビドアホン１０と応答端末３０Ａは、これらユニキャストアドレス情報に基づいて、音声の送受信を開始する（ステップ５１６）。これにより、応答端末３０Ａでは、来訪者の映像を表示しながら、テレビドアホン１０とのドアホン通話状態となる。
この際、テレビドアホン１０は、ユニキャスト送受信処理部１９Ｂにより、ステップ５０１の呼出メッセージで通知したユニキャストアドレス情報（第１のユニキャスト情報）に基づくユニキャスト（第１のユニキャスト）で応答端末３０Ａへ音声を送信するとともに、ステップ５１４の音声通信要求メッセージで通知されたユニキャストアドレス情報（第２のユニキャスト情報）に基づくユニキャスト（第２のユニキャスト）で応答端末３０Ａからの音声を受信する。
【００７９】
また、応答端末３０Ａは、ユニキャスト送受信処理部３９Ｂにより、ステップ４１１の応答メッセージで通知したユニキャストアドレス情報（第２のユニキャスト情報）に基づくユニキャスト（第２のユニキャスト）でテレビドアホン１０へ音声を送信するとともに、ステップ５１５の音声通信要求メッセージで通知されたユニキャストアドレス情報（第１のユニキャスト情報）に基づくユニキャスト（第１のユニキャスト）でテレビドアホン１０からの音声を受信する。
【００８０】
その後、応答端末３０Ａにおいて、終話操作が行われた場合（ステップ５２０）、応答端末３０Ａにおいて、テレビドアホン１０と通信中のマルチキャストからの映像受信を停止するとともに、同じくユニキャストでの音声送受信を停止し、電話制御装置２０に対して切断メッセージを送信する（ステップ５２１）。
電話制御装置２０は、応答端末３０Ａからの切断メッセージに応じて、テレビドアホン１０へ切断メッセージを送信する（ステップ５２２）。
この際、これら切断メッセージには、マルチキャストで用いたマルチキャストアドレス情報と、ユニキャストで用いたユニキャストアドレス情報が含まれている。なお、切断対象となるマルチキャストやユニキャストが特定できる場合には、これらマルチキャストアドレス情報およびユニキャストアドレス情報を切断メッセージで通知する必要はない。
【００８１】
テレビドアホン１０は、この切断メッセージに応じて、当該切断メッセージで指定されたマルチキャストアドレス情報に基づくマルチキャストでの映像配信を停止するとともに、当該切断メッセージで指定されたユニキャストアドレス情報に基づくユニキャストでの音声送受信を停止する。
これにより、テレビドアホン１０と応答端末３０Ａとのドアホン通話が終了する。
【００８２】
［第２の実施の形態の効果］
このように本実施の形態では、電話制御装置２０を介して、テレビドアホン１０が管理するマルチキャストアドレス情報とユニキャストアドレス情報を端末３０へ通知し、端末３０が管理するユニキャストアドレス情報をテレビドアホン１０へ通知するようにしたので、これらマルチキャストアドレス情報とユニキャストアドレス情報を電話制御装置２０で管理する必要がなくなる。このため、予め個別のマルチキャストアドレス情報やユニキャストアドレス情報を有するテレビドアホン１０や端末３０であっても、電話制御装置２０への登録処理を行うことなく、容易に対応することが可能となる。
【００８３】
［実施の形態の拡張］
以上では、電話制御装置２０が、サーバ装置やパーソナルコンピュータなどの情報処理装置から実現されており、端末３０が、パーソナルコンピュータなどの情報処理装置から実現されている場合を例として説明したが、これに限定されるものではない。例えば、電話制御装置２０を、交換機やボタン電話システムの主装置で実現し、端末３０を当該交換機に接続された内線電話機や当該ボタン電話システムに接続された内線電話機で実現してもよい。
【００８４】
また、以上では、映像配信端末の具体例としてテレビドアホン１０を用いて説明したが、これに限定されるものではなく、カメラで撮影した映像、さらには外部装置から取得して蓄積されている映像を配信する機能を備える端末であれば、いずれの端末でもよい。
また、以上では、外部の電話網との間で呼制御を行う機能が電話制御装置２０に設けられている場合を例として説明したが、これに限定されるものではなく、電話制御装置２０が当該電話システムに接続されている端末間に関する呼制御を行う機能のみを持つ場合でも、本発明を同様にして適用でき、同様の作用効果が得られる。
また、以上では、ＩＰ電話技術やＶｏＩＰ通信技術を前提として説明したが、これに限定されるものではなく、他の通信技術を用いてもよい。
【図面の簡単な説明】
【００８５】
【図１】本発明の第１の実施の形態にかかる電話システムの構成を示すブロック図である。
【図２】本発明の第１の実施の形態にかかる電話システムのテレビドアホンの構成を示すブロック図である。
【図３】本発明の第１の実施の形態にかかる電話システムの電話制御装置の構成を示すブロック図である。
【図４】本発明の第１の実施の形態にかかる電話システムの端末の構成を示すブロック図である。
【図５】本発明の第１の実施の形態にかかる電話システムのテレビドアホンの呼出処理を示すフローチャートである。
【図６】本発明の第１の実施の形態にかかる電話システムの電話制御装置のドアホン制御処理を示すフローチャートである。
【図７】本発明の第１の実施の形態にかかる電話システムの端末の着信制御処理を示すフローチャートである。
【図８】本発明の第１の実施の形態にかかる電話システムの全体動作を示すシーケンス図である。
【図９】本発明の第２の実施の形態にかかる電話システムの全体動作を示すシーケンス図である。
【符号の説明】
【００８６】
１…電話システム、１０…テレビドアホン（映像配信端末）、１１…操作入力部、１２…カメラ、１３…マイク、１４…スピーカ、１５…制御部、１６…映像エンコーダ、１７…音声エンコーダ、１８…音声デコーダ、１９…プロトコル処理部、１９Ａ…マルチキャスト送信処理部、１９Ｂ…ユニキャスト送受信処理部、２０…電話制御装置、２１…呼制御部、２１Ａ…呼処理部、２１Ｂ…メディア制御部、２９…プロトコル処理部、３０…端末、３１…操作入力部、３２…画面表示部、３３…スピーカ、３４…マイク、３５…制御部、３６…映像デコーダ、３７…音声デコーダ、３８…音声エンコーダ、３９…プロトコル処理部、３９Ａ…マルチキャスト受信処理部、３９Ｂ…ユニキャスト送受信処理部、５０…通信回線。
【図１】
2010130363.tif 000003
【図２】
2010130363.tif 000004
【図３】
2010130363.tif 000005
【図４】
2010130363.tif 000006
【図５】
2010130363.tif 000007
【図６】
2010130363.tif 000008
【図７】
2010130363.tif 000009
【図８】
2010130363.tif 000010
【図９】
2010130363.tif 000011